(57)【要約】【課題】音響再現性と設置安定性に優れたスピーカー装置を提供する。【解決手段】電気信号を振動に変換して音響を発するスピーカーユニット２と、スピーカーユニット２の背面側を覆うエンクロージャー３と、エンクロージャー３を保持する本体部４と、本体部４にヒンジ部５を介して回動自在に取り付けられた脚部６と、を備え、エンクロージャー３は、一端が開口した有底筒状の外筐体１１及び内筐体１２を有し、外筐体１１の内側に内筐体１２を収容した状態で互いの開口端３ａが接合されると共に、外筐体１１と内筐体１２との間に真空層１３が設けられた真空二重構造を有し、脚部６は、本体部４を設置面に対して起立した状態で支持する位置と、本体部４を設置面に対して傾斜した状態で支持する位置との間で回動自在とされている。【選択図】図９
2018152892.tif 000002
【特許請求の範囲】
【請求項１】
電気信号を振動に変換して音響を発するスピーカーユニットと、
前記スピーカーユニットの背面側を覆うエンクロージャーと、
前記エンクロージャーを保持する本体部と、
前記本体部にヒンジ部を介して回動自在に取り付けられた脚部と、を備え、
前記エンクロージャーは、一端が開口した有底筒状の外筐体及び内筐体を有し、前記外筐体の内側に前記内筐体を収容した状態で互いの開口端が接合されると共に、前記外筐体と前記内筐体との間に真空層が設けられた真空二重構造を有し、
前記脚部は、前記本体部を設置面に対して起立した状態で支持する位置と、前記本体部を設置面に対して傾斜した状態で支持する位置との間で回動自在とされていることを特徴とするスピーカー装置。
【請求項２】
前記脚部には、前記本体部が起立した状態において前記設置面と接触する第１の防振部材と、前記本体部が傾斜した状態において前記設置面と接触する第２の防振部材とが設けられていることを特徴とする請求項１に記載のスピーカー装置。
【請求項３】
前記第１の防振部材及び前記第２の防振部材は、前記脚部の前記設置面と接触する側の面内にｎ角形（ｎは３以上の整数を表す。）を形成したときの各頂点に位置するように設けられていることを特徴とする請求項２に記載のスピーカー装置。
【請求項４】
前記脚部が支持する前記本体部の重心が前記ｎ角形の内側に位置することを特徴とする請求項３に記載のスピーカー装置。
【請求項５】
前記第１の防振部材と前記第２の防振部材とは、互いに一体に形成された弾性体からなり、
前記弾性体は、前記脚部に形成された孔部を貫通した状態で、前記脚部の一面及び他面から突出して設けられていることを特徴とする請求項２〜４の何れか一項に記載のスピーカー装置。
【請求項６】
前記本体部には、前記ヒンジ部と接触する第３の防振部材が設けられていることを特徴とする請求項１〜５の何れか一項に記載のスピーカー装置。
【請求項７】
前記内筐体は、前記開口端側の内周面から全周に亘って突出された段差部を有し、
前記スピーカーユニットは、前記開口端から前記内筐体の内側に嵌め込まれた状態で、前記段差部に接触するシール部材を介して前記エンクロージャーとは非接触な状態で取り付けられていることを特徴とする請求項１〜６の何れか一項に記載のスピーカー装置。
【請求項８】
前記シール部材は、前記段差部に全周に亘って密着した状態で、前記スピーカーユニットと前記エンクロージャーとの間を密閉していることを特徴とする請求項７に記載のスピーカー装置。
【発明の詳細な説明】
【技術分野】
【０００１】
本発明は、スピーカー装置に関する。
【背景技術】
【０００２】
一般に、スピーカー装置は、電気信号を振動に変換して音響を発するスピーカーユニットと、スピーカーユニットの背面側を覆うエンクロージャーとを備えている。スピーカー装置では、スピーカーユニットの前面側から放出される音響の振動と、スピーカーユニットの背面側から放出される音響の振動とが逆位相となるため、これらの振動が干渉し合うと、互いに音響を打ち消し合うことになる。これは低音域になるほど顕著である。このため、スピーカー装置では、スピーカーユニットの背面側をエンクロージャーで覆うことによって、スピーカーユニットの背面側から放出される音響を遮断することが行われている。
【０００３】
しかしながら、スピーカー装置では、スピーカーユニットの背面側からエンクロージャー内に放出される音響によってエンクロージャーが振動（場合によっては共振）し、エンクロージャーから不要な振動が外部へと伝播する。このエンクロージャーを介して外部に伝播する振動を抑制するためには、エンクロージャーの厚みを大きくしたり、エンクロージャーの剛性を高めたりする必要がある。この場合、エンクロージャーの重量が著しく増大することになる。
【０００４】
そこで、真空二重構造を有するエンクロージャーによって外部に伝播する振動を抑制したスピーカー装置が提案されている（特許文献１，２を参照。）。具体的に、真空二重構造を有するエンクロージャーは、一端が開口した有底筒状の外筐体及び内筐体を有し、外筐体の内側に内筐体を収容した状態で互いの開口端が接合されると共に、これら外筐体と内筐体との間に高真空に減圧された真空層を有している。スピーカーユニットは、その背面側をエンクロージャーの内側に向けた状態で、エンクロージャーの開口端を閉塞するように取り付けられている。
【０００５】
このようなスピーカー装置によれば、スピーカーユニットの背面側から放出される音響によってエンクロージャーの内筐体が振動しても、真空層によって内筐体から外筐体への振動の伝播が阻止される。これにより、エンクロージャーを介して外部に伝播する振動を抑制することができる。さらに、このエンクロージャーの軽量化を図ることも可能である。
【先行技術文献】
【特許文献】
【０００６】
【特許文献１】実開昭６３−１５６９１号公報
【特許文献２】特開２００３−９２７９１号公報
【発明の概要】
【発明が解決しようとする課題】
【０００７】
ところで、上述したスピーカー装置では、スピーカーユニットをエンクロージャーに取り付けることによって、スピーカーユニットからの振動がエンクロージャーへと直接伝わるため、音響再現性が悪くなるだけでなく、設置面上に設置されたときの設置安定性が悪くなることがあった。
【０００８】
本発明は、このような従来の事情に鑑みて提案されたものであり、音響再現性と設置安定性に優れたスピーカー装置を提供することを目的とする。
【課題を解決するための手段】
【０００９】
上記目的を達成するために、本発明は以下の手段を提供する。
〔１〕  電気信号を振動に変換して音響を発するスピーカーユニットと、
前記スピーカーユニットの背面側を覆うエンクロージャーと、
前記エンクロージャーを保持する本体部と、
前記本体部にヒンジ部を介して回動自在に取り付けられた脚部と、を備え、
前記エンクロージャーは、一端が開口した有底筒状の外筐体及び内筐体を有し、前記外筐体の内側に前記内筐体を収容した状態で互いの開口端が接合されると共に、前記外筐体と前記内筐体との間に真空層が設けられた真空二重構造を有し、
前記脚部は、前記本体部を設置面に対して起立した状態で支持する位置と、前記本体部を設置面に対して傾斜した状態で支持する位置との間で回動自在とされていることを特徴とするスピーカー装置。
〔２〕  前記脚部には、前記本体部が起立した状態において前記設置面と接触する第１の防振部材と、前記本体部が傾斜した状態において前記設置面と接触する第２の防振部材とが設けられていることを特徴とする前記〔１〕に記載のスピーカー装置。
〔３〕  前記第１の防振部材及び前記第２の防振部材は、前記脚部の前記設置面と接触する側の面内にｎ角形（ｎは３以上の整数を表す。）を形成したときの各頂点に位置するように設けられていることを特徴とする前記〔２〕に記載のスピーカー装置。
〔４〕  前記脚部が支持する前記本体部の重心が前記ｎ角形の内側に位置することを特徴とする前記〔３〕に記載のスピーカー装置。
〔５〕  前記第１の防振部材と前記第２の防振部材とは、互いに一体に形成された弾性体からなり、
前記弾性体は、前記脚部に形成された孔部を貫通した状態で、前記脚部の一面及び他面から突出して設けられていることを特徴とする前記〔２〕〜〔４〕の何れか一項に記載のスピーカー装置。
〔６〕  前記本体部には、前記ヒンジ部と接触する第３の防振部材が設けられていることを特徴とする前記〔１〕〜〔５〕の何れか一項に記載のスピーカー装置。
〔７〕  前記内筐体は、前記開口端側の内周面から全周に亘って突出された段差部を有し、
前記スピーカーユニットは、前記開口端から前記内筐体の内側に嵌め込まれた状態で、前記段差部に接触するシール部材を介して前記エンクロージャーとは非接触な状態で取り付けられていることを特徴とする前記〔１〕〜〔６〕の何れか一項に記載のスピーカー装置。
〔８〕  前記シール部材は、前記段差部に全周に亘って密着した状態で、前記スピーカーユニットと前記エンクロージャーとの間を密閉していることを特徴とする前記〔７〕に記載のスピーカー装置。
【発明の効果】
【００１０】
以上のように、本発明によれば、音響再現性と設置安定性に優れたスピーカー装置を提供することが可能である。
【図面の簡単な説明】
【００１１】
【図１】本発明の一実施形態に係るスピーカー装置であって、起立した状態で設置されたスピーカー装置の外観を示す斜視図である。
【図２】図１に示す起立した状態で設置されたスピーカー装置を下方側から見た斜視図である。
【図３】図１に示す起立した状態で設置されたスピーカー装置の側面図である。
【図４】図１に示す起立した状態で設置されたスピーカー装置の底面図である。
【図５】本発明の一実施形態に係るスピーカー装置であって、傾斜した状態で設置されたスピーカー装置の外観を示す斜視図である。
【図６】図５に示す傾斜した状態で設置されたスピーカー装置を下方側から見た斜視図である。
【図７】図５に示す傾斜した状態で設置されたスピーカー装置の側面図である。
【図８】図５に示す傾斜した状態で設置されたスピーカー装置の底面図である。
【図９】本発明の一実施形態に係るスピーカー装置の内部構造を示す断面図である。
【図１０】本発明の一実施形態に係るスピーカー装置の要部を示す斜視図である。
【発明を実施するための形態】
【００１２】
以下、本発明の実施形態について、図面を参照して詳細に説明する。
本発明の一実施形態として、例えば図１〜図１０に示すスピーカー装置１について説明する。なお、図１は、起立した状態で設置されたスピーカー装置１の外観を示す斜視図である。図２は、起立した状態で設置されたスピーカー装置１を下方側から見た斜視図である。図３は、起立した状態で設置されたスピーカー装置１の側面図である。図４は、起立した状態で設置されたスピーカー装置１の底面図である。図５は、傾斜した状態で設置されたスピーカー装置１の外観を示す斜視図である。図６は、傾斜した状態で設置されたスピーカー装置１を下方側から見た斜視図である。図７は、傾斜した状態で設置されたスピーカー装置１の側面図である。図８は、傾斜した状態で設置されたスピーカー装置１の底面図である。図９は、スピーカー装置１の内部構造を示す断面図である。図１０は、スピーカー装置１の要部を示す斜視図である。
【００１３】
スピーカー装置１は、例えばＢｌｕｅｔｏｏｔｈ（登録商標）などの近距離無線規格に準じた無線通信によりパソコンやスマートフォンなどのデジタル機器で再生された音楽等をワイヤレスで聴くことができる携帯可能な小型スピーカー装置である。
【００１４】
具体的に、このスピーカー装置１は、図１〜図９に示すように、電気信号を振動に変換して音響を発するスピーカーユニット２と、スピーカーユニット２の背面側を覆うエンクロージャー３と、エンクロージャー３を保持する本体部４と、本体部４にヒンジ部５を介して回動自在に取り付けられた脚部６とを備えている。
【００１５】
スピーカーユニット２は、図９に示すように、その構成について特に限定されるものではなく、一般的なスピーカーユニットを用いることができる。一般に、スピーカーユニット２は、磁気回路７と、磁気回路７の磁気ギャップ中で移動自在とされたボイスコイル８と、ボイスコイル８に取り付けられた振動板９と、磁気回路７及び振動板９を支持するフレーム１０とを有して、ボイスコイル８に電気信号を供給し、この電気信号に応じて振動板９を振動させることによって、音響を発することが可能となっている。
【００１６】
エンクロージャー３は、例えばステンレス鋼等からなり、一端が開口した有底筒状の外筐体１１及び内筐体１２を有している。エンクロージャー３は、外筐体１１の内側に内筐体１２を収容した状態で互いの開口端３ａが接合されると共に、これら外筐体１１と内筐体１２との間に真空層１３が設けられた真空二重構造を有している。真空層１３は、例えば、高真空に減圧（真空引き）されたチャンバー内で、外筐体１１の底面中央部に設けられた脱気孔（図示せず。）を塞ぐことによって形成することができる。
【００１７】
エンクロージャー３は、円形状の底面部３ｂと、底面部３ｂの外周から起立した円筒状の胴部３ｃと、胴部３ｃの一端（開口端３ａ）において開口した円形状の開口部３ｄとを有している。また、内筐体１２には、リング状の段差部１４が開口端３ａ側の内周面から全周に亘って突出して設けられている。
【００１８】
なお、内筐体１２は、開口端３ａと段差部１４とを含む胴部と底面部とを溶接せずに、絞り加工等により胴部と底面部とを一体に成形すると、溶接不良や溶接痕等が生じないため望ましい。
【００１９】
スピーカーユニット２は、その背面側をエンクロージャー３の内側に向けた状態で、エンクロージャー３の開口端３ａを閉塞するように取り付けられている。具体的に、このスピーカーユニット２は、開口端３ａから内筐体１２の内側に嵌め込まれた状態で、段差部１４に接触するシール部材１５を介してエンクロージャー３に取り付けられている。また、スピーカーユニット２は、シール部材１５を介してエンクロージャー３とは非接触な状態で取り付けられている。これにより、不要な振動がスピーカーユニット２からエンクロージャー３へと伝わるのを防ぐことができる。
【００２０】
なお、本実施形態のスピーカー装置１では、スピーカーユニット２の背面側からエンクロージャー３内に放出される音響によってエンクロージャー３（内筐体１２）に不要な振動（共振など。）が発生するのを防ぐため、エンクロージャー３（内筐体１２）の内側に、例えばスポンジなどの吸音材を配置してもよい。また、エンクロージャー３を構成する外筐体１１及び内筐体１２に振動による共振が生じないように、共振点をずらすための部材等を貼り付けることも可能である。
【００２１】
シール部材１５は、例えばシリコーンゴム等のゴムやエラストマーなど弾性部材からなる。シール部材１５は、段差部１４の形状に合わせてリング状に形成されている。具体的に、このシール部材１５は、段差部１４の頂上側の平坦面部１４ａに接触する第１のシール部１５ａと、段差部１４の入側の傾斜面部１４ｂに接触する第２のシール部１５ｂとを有している。
【００２２】
シール部材１５は、スピーカーユニット２に取り付けられている。具体的に、スピーカーユニット２は、フレーム１０の外周部に一端が接続された円筒部材１６を有している。
円筒部材１６の他端には、軸線方向に延長されると共に、縮径方向に弾性変形可能な複数のフック片１７が設けられている。複数のフック片１７は、円筒部材１６の周方向に並んで設けられている。シール部材１５は、各フック片１７の外周部に架け渡された状態で取り付けられている。
【００２３】
スピーカー装置１では、スピーカーユニット２をエンクロージャー３（内筐体１２）の内側に嵌め込む際に、各フック片１７が弾性変形しながら、各フック片１７の先端に設けられた爪部１７ａが段差部１４を乗り越える。このとき、シール部材１５は、弾性変形しながら段差部１４に全周に亘って密着した状態となる。これにより、スピーカーユニット２とエンクロージャー３との間をシール部材１５により密閉することが可能となっている。
【００２４】
本体部４は、図１〜図９に示すように、エンクロージャー３の前面側を保持するアッパーカバー４ａと、エンクロージャー３の背面側を保持するロアカバー４ｂと、アッパーカバー４ａとロアカバー４ｂとの間を連結するサイドカバー４ｃとを有している。本体部４は、合成樹脂の中空成形体からなり、エンクロージャー３と共に、全体として略円柱状の外観形状を有している。また、本体部４は、複数に分割された各部を組み合わせることにより、スピーカーユニット２が取り付けられたエンクロージャー３を一体に保持している。
【００２５】
具体的に、エンクロージャー３は、図９に示すように、アッパーカバー４ａの内側に設けられた溝部４ｄに開口端３ａを差し込む（嵌合する）ことで、アッパーカバー４ａに容易に組み付けることができる。また、アッパーカバー４ａは、スピーカーユニット２とは非接触な状態で、エンクロージャー３に取り付けられている。これにより、不要な振動がスピーカーユニット２からアッパーカバー４ａ（本体部４）へと伝わるのを防ぐことができる。
【００２６】
一方、エンクロージャー３は、外筐体１１の底面部３ｂと胴部３ｃとを形成する下端部３ｅを接合した構造であり、この下端部３ｅをロアカバー４ｂの内側に設けられた溝部４ｅに差し込む（嵌合する）ことで、ロアカバー４ｂに容易に組み付けることが可能である。したがって、このスピーカー装置１を組み立てる際の組立工数も削減できる。なお、溝部４ｄ，４ｅには、図示を省略する接着剤（シール材）が配置されている。これにより、アッパーカバー４ａ及びロアカバー４ｂとエンクロージャー３との間が接着剤（シール材）を介して密閉された状態で接合されている。
【００２７】
スピーカーユニット２は、図９に示すように、アッパーカバー４ａとは非接触な状態でアッパーカバー４ａの内側に配置されている。アッパーカバー４ａには、図１、図５及び図９に示すように、スピーカーユニット２が発する音響を外部に放出する放音部１８と、電源のＯＮ／ＯＦＦを切り替える電源スイッチ１９とが設けられている。
【００２８】
放音部１８は、アッパーカバー４ａの前面に形成された開口部４ｆにネット２０が取り付けられた構成となっている。電源スイッチ１９は、アッパーカバー４ａの前面に形成された孔部から外部に臨んで設けられている。また、アッパーカバー４ａの内側には、スイッチ部を備えた電源回路基板（図示せず。）が設けられている。電源スイッチ１９は、透光性を有し、スイッチ部の上部に配置されている。スピーカー装置１では、この電源スイッチ１９を押すことによりスイッチ部が操作される。さらに、電源回路基板には、ＬＥＤライトが配置されており、電気容量が足りなくなったときにＬＥＤライトの色を変えたり、Ｂｌｕｅｔｏｏｔｈ（登録商標）のペアリング接続のときにＬＥＤライトを点滅させたり、これらの動作状況を透光性の電源スイッチ１９を通して表示できる。これにより、スピーカー装置１の操作時における視認性及び操作性が高められている。
【００２９】
なお、放音部１８については、このような構成に必ずしも限定されるものではなく、たとえばネット２０を省略し、開口部４ｆからスピーカーユニット２の前面が露出した構成とすることも可能である。また、電源スイッチ１９については、アッパーカバー４ａとは別の位置に配置することも可能である。なお、スピーカーユニット２の音量調整については、上述したデジタル機器側での操作によってワイヤレスでの調整が可能であるが、本体部４側にスピーカーユニット２の音量を調整する音量スイッチを設けることも可能である。
【００３０】
ロアカバー４ｂの内側には、図示を省略するものの、バッテリーや通信モジュール、制御回路基板等が配置されている。なお、バッテリーは、スピーカー装置１の重心を考慮し、ロアカバー４ｂの最下部に配置されている。また、バッテリーは取り外し可能となっている。通信モジュールは、金属による電波遮断の影響を考慮した高さに取り付けられている。これにより、本体部４の重心は、アッパーカバー４ａ側よりもロアカバー４ｂ側に位置することになる。
【００３１】
ロアカバー４ｂの側面には、例えばＭｉｎｉ−ＵＳＢ（登録商標）などの充電用の接続ポートや、別のスピーカー装置などに接続するためのＡＵＸ出力ジャック、別のデジタル機器などに接続するためのＡＵＸ入力ジャックなどが設けられているが、これらに特に限定されるものではない。
【００３２】
ロアカバー４ｂ（本体部４）の底面には、図２〜図４及び図６〜図８に示すように、ヒンジ部５を介して脚部６が回動自在に取り付けられている。脚部６は、本体部２と同じ合成樹脂の中空成形体からなり、全体として略円形平板状の外観形状を有している。
【００３３】
脚部６は、図１〜図４に示すように、本体部４を設置面Ｓに対して起立した状態で支持することが可能である。このとき、脚部６は、回動方向の一方側の端部、すなわち一面６ａを設置面Ｓに向けた状態で、他面６ｂを本体部４（ロアカバー４ｂ）の底面に対向させた位置まで回動されている。
【００３４】
一方、脚部６は、図５〜図８に示すように、本体部４を設置面Ｓに対して傾斜した状態で支持することが可能である。このとき、脚部６は、回動方向の他方側の端部、すなわち他面６ｂを設置面Ｓに向けた状態で、一面６ａを本体部４（サイドカバー４ｃ）の下方側の側面に向けた位置まで回動されている。
【００３５】
脚部６の一面６ａには、図２〜図４に示すように、本体部４が起立した状態において設置面Ｓと接触する第１の防振部材２１が設けられている。同様に、脚部６の他面６ｂには、図６〜図８に示すように、本体部４が傾斜した状態において設置面Ｓと接触する第２の防振部材２２が設けられている。
【００３６】
第１の防振部材２１及び第２の防振部材２２は、脚部６から設置面Ｓに伝わる振動を吸収するものであり、例えばゴムやエラストマーなどの弾性体からなる。第１の防振部材２１及び第２の防振部材２２は、図４及び図８に示すように、脚部６の設置面Ｓと接触する側の面内にｎ角形（ｎは３以上の整数を表す。）を形成したときの各頂点に位置するように設けられている。
【００３７】
具体的に、本実施形態では、三角形（ｎ＝３）の各頂点に位置するように、それぞれ３つの第１の防振部材２１及び第２の防振部材２２が設けられている。３つの第１の防振部材２１及び第２の防振部材２２は、それぞれヒンジ部５の近傍を１つの頂点Ｐ１とし、この１つの頂点を挟んで対称となる２つの頂点Ｐ２，Ｐ３とする三角形の各頂点に配置されている。また、脚部６が支持する本体部６の重心は、ｎ角形（本実施形態では三角形）の内側、すなわち各第１の防振部材２１及び第２の防振部材２２の内側に位置している。
【００３８】
これにより、スピーカー装置１では、図１、図３、図４及び図７に示すように、本体部４を起立又は傾斜した状態で設置面Ｓ上に設置したときに、脚部６によって本体部４を安定的に支持することが可能である。また、第１の防振部材２１及び第２の防振部材２２によって脚部６から設置面Ｓに伝わる振動が吸収されるため、スピーカーユニット２による音響再現性を良好に保つことが可能である。
【００３９】
第１の防振部材２１と第２の防振部材２２とは、図９に示すように、互いに一体に形成された弾性体Ｄからなる。弾性体Ｄは、脚部６の内側に配置されている。第１の防振部材２１は、脚部６の一面６ａに形成された第１の孔部２３ａを貫通した状態で、脚部６の一面６ａから突出した弾性体Ｄの一部により構成されている。同様に、第２の防振部材２２は、脚部６の他面６ｂに形成された第２の孔部２３ｂを貫通した状態で、脚部６の他面６ｂから突出した弾性体Ｄの一部により構成されている。また、第１の孔部２３ａと第２の孔部２３ｂとは、脚部６の厚み方向において互いに重なる位置に設けられている。
【００４０】
また、本体部４（ロアカバー４ｂ）の底面には、図６〜図９に示すように、脚部６が回動方向の一方側に位置するときに、この脚部６を本体部４の底面に固定するストッパー機構２４が設けられている。ストッパー機構２４は、ロアカバー４ｂの底面に設けられた嵌合凸部２５と、脚部６の他面６ｂに設けられた嵌合凹部２６とを有している。
【００４１】
嵌合凸部２５は、ロアカバー４ｂの底面中央部を挟んでヒンジ部５とは反対側の位置から突出して設けられている。嵌合凹部２６は、脚部６の他面６ｂにおいて嵌合凸部２５と対向する位置に設けられている。嵌合凹部２６は、脚部６の他面６ｂに形成された第３の孔部２３ｃから露出した弾性体Ｄの一部により構成されている。
【００４２】
ストッパー機構２４では、図９に示すように、嵌合凹部２６に嵌合凸部２５が嵌合されると、嵌合凹部２６が弾性変形しながら嵌合凸部２５を保持した状態となる。これにより、脚部６を本体部４の底面に固定することが可能である。
【００４３】
ロアカバー４ｂには、図２〜図４及び図６〜図８に示すように、ヒンジ部５と接触する第３の防振部材２７が設けられている。第３の防振部材２７は、本体部４からヒンジ部５を介して脚部６に伝わる振動を吸収するものであり、例えばゴムやエラストマーなどの弾性体からなる。第３の防振部材２７は、ロアカバー４ｂの内側に配置されると共に、ヒンジ部５を挟んだ両側に設けられた開口部４ｇからロアカバー４ｂの外側に露出した状態で設けられている。
【００４４】
サイドカバー４ｃは、図１〜図３及び図５〜図７に示すように、本体部４が傾斜した状態においてエンクロージャー３の下方となる側の側面に沿って設けられている。サイドカバー４ｃの内側には、図９及び図１０に示すように、エンクロージャー３（胴部３ｃ）の側面と接触する第４の防振部材２８が設けられている。第４の防振部材２８は、エンクロージャー３から本体部４に伝わる振動を吸収するものであり、例えばゴムやエラストマーなどの弾性体からなる。
【００４５】
また、サイドカバー４ｃの内側には、スピーカーユニット２と制御回路基板とを接続する配線２９が引き回されている。第４の防振部材２８は、この配線２９をエンクロージャー３との間で押さえる複数の凸部２８ａを有している。複数の凸部２８ａは、第４の防振部材２８の一部をエンクロージャー３側に膨出した略ハット形状を有し、第４の防振部材２８の長手方向に並んで設けられている。
【００４６】
さらに、配線２９とエンクロージャー３の開口端３ａとの接触部分には、第５の防振部材３０が設けられている。第５の防振部材３０は、例えばゴムやエラストマーなどの弾性体からなり、配線２９の開口端３ａとの接触部分に、この配線２９を保護するように取り付けられている。
【００４７】
以上のような構成を有するスピーカー装置１では、スピーカーユニット２の背面側から放出される音響によってエンクロージャー３の内筐体１２が振動しても、真空層１３によって内筐体１２から外筐体１１への振動の伝播が阻止される。これにより、エンクロージャー３を介して外部に伝播する振動を抑制することができる。さらに、このエンクロージャー３の軽量化を図ることも可能である。
【００４８】
本実施形態のスピーカー装置１では、上述した開口端３ａから内筐体１２の内側にスピーカーユニット２が嵌め込まれた状態で、段差部１４に接触するシール部材１５を介してスピーカーユニット２がエンクロージャー３に取り付けられている。また、スピーカーユニット２は、シール部材１５を介してエンクロージャー３とは非接触な状態で取り付けられている。さらに、シール部材１５は、段差部１４に全周に亘って密着した状態で、スピーカーユニット２とエンクロージャー３との間を密閉している。
【００４９】
これにより、本実施形態のスピーカー装置１では、簡便な構造でありながら、スピーカーユニット２とエンクロージャー３との間を密閉することができ、なお且つ、スピーカーユニット２からの振動がエンクロージャー３へと伝わることを防止することが可能である。また、エンクロージャー３に対するスピーカーユニット２の取り付けも容易であり、部品点数及び組み立工数の削減が可能である。
【００５０】
また、本実施形態のスピーカー装置１では、アッパーカバー４ａとロアカバー４ｂとの間であって、外筐体１１のサイドカバー４ｃが配置された側面以外の側面（胴部３ｃ）を外部に露出させた状態で、エンクロージャー３が本体部４に保持されている。本実施形態のスピーカー装置１では、エンクロージャー３が真空二重構造を有するため、真空層１３によって内筐体１２から外筐体１１への振動の伝播が阻止されるだけでなく、外筐体１１から内筐体１２への振動の伝播も阻止できる。したがって、本実施形態のスピーカー装置１では、外筐体１２の少なくとも一部（胴部３ｃ）を外部に露出した状態で、エンクロージャー３を本体部４に保持することによって、更なる小型化及び軽量化が可能である。
【００５１】
なお、本実施形態では、アッパーカバー４ａとロアカバー４ｂとの間が１つのサイドカバー４ｃにより連結された構成となっているが、このような構成に限らず、複数のサイドカバー４ｃによりアッパーカバー４ａとロアカバー４ｂとの間が連結された構成とすることも可能である。
【００５２】
また、サイドカバー４ｃは、上述したエンクロージャー３（外筐体１２）の側面に沿って配置された構成に限らず、エンクロージャー３（外筐体１２）の側面から離間した状態で、アッパーカバー４ａとロアカバー４ｂとの間を連結する構成とすることも可能である。この構成の場合、エンクロージャー３（外筐体１２）の側面（胴部３ｃ）を全周に亘って露出させることができる。また、筒状に形成されたサイドカバー４ｃの内部において配線２９を引き回すことが可能である。さらに、このサイドカバー４ｃを把手（把持部）として機能させることもできる。
【００５３】
また、本実施形態のスピーカー装置１では、上述した第１の防振部材２１及び第２の防振部材２２により脚部６から設置面Ｓに伝わる振動を吸収し、第３の防振部材２７により本体部４からヒンジ部５を介して脚部６に伝わる振動を吸収し、第４の防振部材２８によりエンクロージャー３から本体部４に伝わる振動を吸収する。これにより、本体部４を起立又は傾斜した状態で設置面Ｓ上に設置した場合、何れの状態においても不要な振動を抑制して音響再現性と設置安定性に優れたスピーカー装置１を得ることが可能である。
【００５４】
なお、本発明は、上記スピーカー装置１の構成に必ずしも限定されるものではなく、本発明の趣旨を逸脱しない範囲において種々の変更を加えることが可能である。
例えば、本発明を適用したスピーカー装置は、上述した一端が開口した有底筒形状を有するエンクロージャー３の一端に１つのスピーカーユニット２がシール部材１５を介して取り付けられた構成に限らず、例えば両端が開口した筒形状を有するエンクロージャーの両端に２つのスピーカーユニットがシール部材を介して各々取り付けられた構成であってもよい。この場合も、上述したエンクロージャー３に対するスピーカーユニット２の取り付け構造を採用することで、上記スピーカー装置１と同様の効果を得ることが可能である。
【００５５】
また、本発明を適用したスピーカー装置は、上述した真空二重構造を有するエンクロージャー３を用いたものに必ずしも限定されるものではなく、それ以外のスピーカーユニットの背面側を覆うエンクロージャーを用いることも可能である。
【符号の説明】
【００５６】
１…スピーカー装置  ２…スピーカーユニット  ３…エンクロージャー  ３ａ…開口端  ４…本体部  ４ａ…アッパーカバー  ４ｂ…ロアカバー  ４ｃ…サイドカバー  ５…ヒンジ部  ６…脚部  １１…外筐体  １２…内筐体  １３…真空層  １４…段差部  １５…シール部材  １８…放音部  ２１…第１の防振部材  ２２…第２の防振部材  ２３ａ…第１の孔部  ２３ｂ…第２の孔部  ２４…ストッパー機構  ２７…第３の防振部材  ２８…第４の防振部材  ２９…配線  ３０…第５の防振部材  Ｄ…弾性体  Ｓ…設置面
【図１】
2018152892.tif 000003
【図２】
2018152892.tif 000004
【図３】
2018152892.tif 000005
【図４】
2018152892.tif 000006
【図５】
2018152892.tif 000007
【図６】
2018152892.tif 000008
【図７】
2018152892.tif 000009
【図８】
2018152892.tif 000010
【図９】
2018152892.tif 000011
【図１０】
2018152892.tif 000012